(57)【要約】【解決手段】サービスエリアやショピングモール内での買物や食事および各種イベントに、多く立ち寄るよう誘発するように仕向けられるようにしたこと【構成】各種バーコードやＩＣチップのような情報の記録媒体を装備したカード本体と、該カード本体の表面あるいは裏面に掲示された、少なくとも当該高速道路のようなサービスエリアや各種ショピングモールの名称、名所や風景，スポンサ等の広告や、日時などの印刷部位よりなり、上記記録媒体には少なくとも、サービスエリアやショピングモールの地図を含む案内や各種イベントの情報が入力されており、上記サービスエリアやショピングモールの所定箇所に設置された、読み取りシステムで上記情報が読み取れるようになしたこと。【選択図】  図１
2006053806.tif 000002
【特許請求の範囲】
【請求項１】
各種バーコードやＩＣチップのような情報の記録媒体を装備したカード本体と、
該カード本体の表面あるいは裏面に掲示された、少なくとも当該高速道路のようなサービスエリアや各種ショピングモールの名称、名所や風景，スポンサ等の広告や、日時などの印刷部位よりなり、
上記記録媒体には少なくとも、サービスエリアやショピングモールの地図を含む案内や各種イベントの情報が入力されており、
上記サービスエリアやショピングモールの所定箇所に設置された、読み取りシステムで上記情報が読み取れるようになしたことが特徴の、
サービスエリアやショピングモールにおける情報の提供システム。
【請求項２】
各種のバーコードやＩＣチップのような情報の記録媒体は、上記請求項１に示すように上記サービスエリアやショピングモールの所定箇所に設置された読み取りシステムで上記情報が読み取れるようになす他、各種携帯用のモバイルあるいはＰＣ端末機でも読み取れるようになしたことことが特徴の、
サービスエリアやショピングモールにおける情報の提供システム。
【請求項３】
上記請求項１の印刷部位はさらに発行の連続番号が印刷されるようになしたことが特徴の、
サービスエリアやショピングモールにおける情報の提供システム。
【請求項４】
上記請求項１のサービスエリアやショピングモールの主要箇所に、「サービスポイント」を配置する手段を有し、これら「サービスポイント」での買物や食事あるいは通過等させることにより、かかる「サービスポイント」を加算して、ポイントの大小で特定の報奨を与え顧客が当該サービスエリアやショピングモールでの買物や食事および各種イベントに多く廻るよう誘発するようにしたことが特徴の、
サービスエリアやショピングモールにおける情報の提供システム。
【請求項５】
上記請求項４のサービスポイントは、その加算点数をシステム提供者の意志に基づいて任意に変えられるようにしたことが特徴の、
サービスエリアやショピングモールにおける情報の提供システム。
【請求項６】
上記請求項１の記録媒体には、少なくとも当該サービスエリアやショピングモール内のレストラン and/or 屋台店のメニューが表示され、その土地の旬の食べ物や所謂お勧め品を紹介できるようにしたことが特徴の、
サービスエリアやショピングモールにおける情報の提供システム。
【請求項７】
上記請求項１の記録媒体には、少なくとも当該サービスエリアやショピングモール内のお土産店のメニュウーが表示され、その土地の名産品や珍しい食品を紹介できるようにしたことが特徴の、
サービスエリアやショピングモールにおける情報の提供システム。
【請求項８】
上記請求項１のサービスエリアやショピングモールには、旅館やホテルの紹介や予約や各種物品やチケットが購入や、車輌または運転者，同乗車の保険に加入できる手段があることが特徴の、
サービスエリアやショピングモールにおける情報の提供システム。
【請求項９】
上記請求項１のサービスエリアやショピングモールには、近郊のお祭など各種のイベントや、天気予報や交通渋滞情報や占いがあることが特徴の、
サービスエリアやショピングモールにおける情報の提供システム。
【発明の詳細な説明】
【技術分野】
【０００１】
本発明は、高速道路のサービスエリアや、どこの街角でもみられるアウトレット形式のようなショピングモールにあって、当該サービスエリアやショピングモールにおける各種の情報の提供するシステムに関する。
【背景技術】
【０００２】
日本は勿論今や世界の各国でも高速道路の整備進み、その為サービスエリアが飛躍的に増大し、その規模の充実や拡大が計られている。一方各種のショピングモールも巨大な規模の店舗に変りその数も増大の一途にある。
【０００３】
このため、携帯電話を利用し狭いサービスエリア内における利用者の地域情報サービスできるシステム（特許情報１参照）があるが、この種高速道路のサービスエリアやショピングモールの巨大化は、必ずしもこれらを利用する顧客のサービスに繋がらない。
【０００４】
即ち高速道路のサービスエリアを利用する顧客は、ガソリンスタンドの存在やトイレのある場所や、このサービスエリア周囲の観光施設や、旬のお土産や、美味しい名物の食べ物を味わいたいとかの要望があり、それらの情報を瞬時に与えるサービスには乏しいものがあり、このことは巨大化されたショピングモールについても同様である。
【０００５】
【特許文献１】特開２００１−３５２５８５  要約書
【発明の開示】
【発明が解決しようとする課題】
【０００６】
而して本発明目的は、例えば高速道路のサービスエリアやショピングモールなどの情報を満載した記録媒体をもつカード本体を有償或いは無償配付し、同時に当地に赴いた記念となって保存されるように工夫したことである。
【０００７】
他に本発明の目的は、当該サービスエリアやショピングモール内では、そのサービスエリアやショピング内の欲しい情報が瞬時に得られるようになったことである。
【０００８】
また他に本発明の目的は、サービスエリアやショピングモールの地図を含む案内や各種イベントの情報が瞬時に画像，映像を交えて見られるようになっていることである。
【０００９】
さらに有償或いは無償配付された上記カード本体はオリジナル商品であって、かかるカード本体を持った者にとって多大な興味をもたせることができるようにしたことである。
【００１０】
次に上記上記カード本体は、サービスエリアやショピングモールにおける顧客様の、商品購入の高揚進の重要なポイントとなっていることも本発明の目的である。
【００１１】
また本発明の他の目的は、サービスエリアやショピングモール内の特に売りたい商品の販売促進ができるシステムを提供することである。
【００１２】
この外、例えば旅館やホテルの紹介や予約や各種物品やチケットが購入や、車輌または運転者，同乗車の保険に加入などが手軽に行え、さらには当地の各種のイベントや天気予報や交通渋滞や占いの情報が、容易にえられるようになっていることも本発明の他の目的となっている。
【課題を解決するための手段】
【００１３】
而して本発明は、各種バーコードやＩＣチップのような情報の記録媒体（１）を装備したカード本体（２）を有することが特徴で、特に該カード本体（２）の表面あるいは裏面に掲示された、少なくとも当該高速道路のようなサービスエリアや各種ショピングモールの名称（３）や名所や風景（４）スポンサ等の広告（５）や、日時（６）などの印刷部位があることである。
【００１４】
即ち、高速道路のようなサービスエリアや各種ショピングモールに立ち寄った顧客が、当該サービスエリアやショピングモールの情報が欲しいと考えた場合、まず上記カード本体（２）の提供を有償で受ける。この場合当該サービスエリアやショピングモールがスポンサとなってあるいは、他に適当なスポンサを募集して広告（５）を掲載すれば無償とすることもできる。
【００１５】
またこのカード本体（２）の表面あるいは裏面には、少なくとも当該サービスエリアやショピングモールの名称（３）や名所や風景（４）や，日時（６）が印刷されているから当地に赴いた記念となること当然である。
【００１６】
続いて上記カード本体（２）には各種バーコードやＩＣチップのような情報の記録媒体（１）が装備されているので、該カード本体（２）を当該サービスエリアやショピングモールの所定箇所に設置した１乃至複数リーダ（７）の接触あるいは「かざす」と、当該サービスエリアやショピングモールの欲しい情報が得られるようになっている。
【００１７】
この場合かかるリーダ（７）にはプリンタ機構が備えられているのがよく、またかかるカード本体（２）は自宅等に持ち帰り、自宅等のパーソナルコンピュタ（８）や携帯電話などのモバイルに設置された読み取り機能と連動できるのがよい。
【００１８】
次に、上記記録媒体（１）には少なくとも、サービスエリアやショピングモールの地図（９）を含む案内や各種イベントの情報が入力されており、これらを上記読み取りシステム（７）で読み取れるようになしたことも本発明の特徴である。
【００１９】
なお上記カード本体（２）には、重複しない連続する発行の連続番号（１０）が印刷されていることもその特徴で、この発行の連続番号（１０）の存在でこのカード（２）が購入者、あるいは無償提供を受けた者のみの、恰も通常の汽車の切符と同じようにオリジナル商品であることに興味をもたせることができたのである。
【００２０】
次に、上記のように大型化されたサービスエリアやショピングモールは、顧客様に如何に凡ゆる場所に廻って貰えるかが、商品販売促進の重要なポイントとなっている。
そこで本発明の他の特徴は、上記サービスエリアやショピングモールの主要箇所に、サービスポイント（Ａ）〜（Ｎ）を配置したことである。
【００２１】
即ち、これらサービスポイント（Ａ）〜（Ｎ）は、当該サービスエリアやショピングモールでも顧客様に最も立ち寄って欲しいと考える、旬のお特産品販売コーナーや、美味しい名物の食べ物を味わえるレストラン（１１）や、各種のイベントコーナ（１２）その他の観光施設に設置するもので、顧客様はこれら上記サービスポイント（Ａ）〜（Ｎ）の案内にカード本体（２）を接触あるいは翳させることにより、上記のレストラン（１１）や、各種のイベントコーナ（１２）に赴かせるように仕向けることができるのである。
【００２２】
このサービスポイント（Ａ）〜（Ｎ）は、ここに上記所定のポイントが記憶させてありカード本体（２）を接触あるいは翳させるこで、これを加算して、ポイントの大小でお土産のような特定の報奨をあるいはくじ引の機会与えられるようにして、顧客様が当該サービスエリアやショピングモールでの買物や食事および各種イベントに多く廻るよう誘発するように仕向けられるようにしたのである。
【００２３】
即ち、顧客様がサービスポイント（Ａ）〜（Ｎ）の単数或いは複数を廻り、集めたポイントはカウントされ、カード本体（２）に記録される。これにより顧客様が集めたポイントを元に、お土産のような特定の報奨あるいはくじをする為に所定の場所、多くはインフォメーション（１３）を訪れる。ここでカウントされた数量を確認し、別途備えたサーバー（１４）に情報の蓄積を行う一方このカウント量に見あった特定の報奨を与えることになる。なお、この場合同一のカード本体（２）をもって、同一のサービスポイント（Ａ）〜（Ｎ）でポイントを得ようとしても記憶されない配慮が必要である。
【００２４】
この時、上記サービスポイント（Ａ）〜（Ｎ）のポイントは、その加算点数をシステム提供者の意志に基づいて任意に変えられるようにしたこともこの発明の特徴の１つである。即ち、例えば当該サービスエリアやショピングモールで、取り立ての野菜を販売する「朝市」のコーナーに、特に顧客を呼込みたいときは、同コーナーのサービスポイント（Ａ）〜（Ｎ）のポイントを多くして、そのことを広くアピールすることによって、集客力が発揮できるようになったのである。
【００２５】
さらに上記サービスポイント（Ａ）〜（Ｎ）のポイントは、当該サービスエリアやショピングモール内のレストラン（１１）のサンプル展示棚（１５）や、メニュー（１６）にあってこの店の名物や特に今日仕入を多くして安く美味しい「特選ランチ」は例えば、他の商品が「２点」（１７）であるのに、「５点」（１８）を付けるなどその販売の促進を考慮することができるのである。またこのことは同時に屋外のショッピングコーナー（１２）におけるお土産品の販売や、各種の出店店舗（１９）でも実施できるのである。
【００２６】
なお、カード本体（２）の記録媒体（１）にも、少なくとも当該サービスエリアやショピングモール内のレストラン and/or 屋台店のメニューの表示がなされ、さらに同土産店のメニューや、その土地の名産品や珍しい食品を紹介されていることもその特徴となっている。
そして上記の記録媒体（１）には、サービスエリアやショピングモール内のあるいは近くの、旅館やホテルの紹介や予約や各種催し物やチケットが購入や、車輌または運転者，同乗車の保険に加入できるフォームなどの手段や、各種のイベントや天気予報や交通渋滞や占いの情報があることもその特徴となっている。
【００２７】
加えて、上記インフォメーション（１３）で集められた顧客様の情報は、当該サービスエリアやショピングモールからの顧客様宛のダイレクトメールを出す場合の、貴重な情報となる。即ち上記サービスエリアやショピングモール内を自由往来する顧客様が、立ち寄った施設を記録しカウントし、その量によってその施設の割引や招待状を贈与するなどの基準とするデータを得る手段およびそのシステムを構築できるのであり、この時例えばショピングモールを訪れた顧客様の嗜好を個別に選択するには、例えばスポーツグッズ販売ゾーンに赴いた顧客様の数量をカウントし、その数量の多少で顧客様の趣味，嗜好にウエイトを付けこの計算を基本とする「データ」が作成できる他、そのものに重み付けをするスキームで計算をされるようになす手段も設けることができるのである。
【００２８】
本発明は以上述べた他多数の優れた作用効果を有するが、これらは実施例の詳細な説明の項で述べる。
【発明を実施するための最良の形態】
【００２９】
以下、本発明に於ける各システムと、操作手段について図面に基づいたように高速道路のサービスエリアを例にして説明する。
【００３０】
而して図２で（２）は、情報の記録媒体（１）を装備したカード本体である。このカード本体（１）は、通常どこでも見られる所謂銀行のキャッシュカードと同じ樹脂製の薄い板状であり、各種バーコードやＩＣチップのような情報の記録媒体（１）は、図３に示すような従来衆知の各種バーコードやＩＣチップから選ばれるも、特にバーコードは近頃二次元バーコードと呼ばれる記録媒体は、比較的容量も大きくかつ安価なことから適切である。
【００３１】
而して該カード本体（２）の表面には、少なくとも高速道路のサービスエリアの名称（３）と、その近くの名所の風景（４）や、スポンサが付いた場合のその広告（５）や、日時（６）などの印刷部位がある。
【００３２】
また、このほかカード本体（２）には、重複しない連続する発行の連続番号（１０）が印刷されているのであって、上記の日時（６）と同時に、この発行の連続番号（１０）の存在でこのカード（２）が購入者、あるいは無償提供を受けた者のみの、恰も通常の汽車の切符と同じようにオリジナル商品であることに興味をもたせることができたのである。
【００３３】
さらに該カード本体（２）の裏面には、サービスエリアの極大まかな地図や、近くの名所古跡の案内文やお祭などのイベントの簡単な記事が掲載され、特に詳細な内容については、該カード本体（２）をサービスエリア内のリーダ（７）で読み取るよう記載がなされている。
【００３４】
各種バーコードやＩＣチップのような情報の記録媒体（１）は、上記のように高速道路のようなサービスエリアの詳細な地図や、近くの名所古跡の案内文やお祭などのイベントの詳細な記事が掲載されなど定型のものの他、日時や、天気予報や、今日の占いや、道路の渋滞情報が一定時間ごとに更改されて入力されているとよい。
【００３５】
図１は典型的な高速道路サービスエリアの地図を示した。それは車輌の侵入方向に従って便所（２０）があり、次いでインフォメーション（１３）を含むハイウエーの情報ターミナルや，キャシュサービスや，ＦＡＸサービスなどがある「とくとく情報エリア」（２１）が、さらに続いて各種レストランや，コーヒーショップなどがある「わくわくレストランエリア」（２２）がある。
【００３６】
また、この「わくわくレストランエリア」（２２）の後方には、温泉，風呂，コインシャワー，ベビーコナー，リラクゼーション，処によりハイウエーホテルやドッグランのある「とくとく施設エリア」（２３）があり、この他自動販売機コーナーや，スナックコーナーや，休憩所や，ショピングコーナー（１２）がある「わくわくお土産エリア」（２４）と、朝市などが開かれる「わくわくイベントエリア」（２５）とそれに洗車施設もある「とくとくガソリンエリア」（２６）があると仮定する。
【００３７】
また、上記インフォメーション（１３）その他の適宜位置には、上記カード本体（２）のリーダ（７）が設置されている。さらに図中（Ａ）〜（Ｎ）は、例えば上記の「とくとく情報エリア」（２１）には（Ａ）、「わくわくレストランエリア」（２２）には（Ｂ）、「とくとく施設エリア」（２３）には（Ｃ）、「わくわくお土産エリア」（Ｄ）「わくわくイベントエリア」（２５）には（Ｄ）、「とくとくガソリンエリア」（２６）には（Ｎ）と夫々設置したサービスポイントの表示である。
【００３８】
この時、上記サービスポイント（Ａ）〜（Ｎ）のポイントは、これにカード本体（２）を近づけると所定の電磁波の信号で、所定のポイントがカード本体（２）の記録媒体（１）に記録されるものであるが、そのポイントは１点とか２点とか５点とか加算点数をシステム提供者の意志に基づいて任意に変えられるようすることが肝要である。
【００３９】
さらに上記サービスポイントは、上記の設置位置（Ａ）〜（Ｎ）のだけでなく、例えば図４に示したように当該サービスエリアやショピングモール内のレストラン（１１）のサンプル展示棚（１５）にも設置する。
この場合たとえばこの店の名物や特に今日仕入を多くして安く美味しい「特選ランチ」は、他の商品が「２点」（１７）であるのに、「５点」（１８）を付けるなどその販売の促進を考慮して行うようにすることが肝要であり、この店のメニュー（１６）にあっても同じようなシステムを用いるとよい。
【００４０】
さらにまた、このことは同時に図５の屋外のショッピングコーナー（１２）におけるお土産品の販売や、各種の出店店舗（１９）でも実施できるのである。
【００４１】
さて、ある高速道路のサービスエリアに立ち寄った顧客様は、該サービスエリア内を立回る案内嬢からあるいはインフォメーション（１３）で、各種バーコードやＩＣチップのような情報の記録媒体（１）が装備されているカード本体（２）を多くの場合無償で受ける。
【００４２】
次いでこのカード本体（２）を、当該サービスエリアのインフォメーション（１３）や、所定箇所に設置したリーダ（７）の接触あるいは「かざす」と、カード本体（２）の上記録媒体（１）には少なくとも、サービスエリアやショピングモールの地図（９）を含む案内や各種イベントの情報が入力されているから、これらを読み取りシステム（７）で読み取ることができ、瞬時に自分の行きたい処や今旬の食べたい食事の内容や、イベント等の紹介記事を見ることができるのである。
【００４３】
勿論この場合、リーダ（７）の図示しないプリンタ機構で所望の箇所のコピーを撮ることもでき、またカード本体（２）を自宅等に持ち帰り、自宅等のパーソナルコンピュタ（８）でも読み取ることができるようになっているから、この当該サービスエリアにおける思い出をいつでも取りだすことができる。
【００４４】
なおこの外の実施例として、近頃の携帯電話はかかるリーダー機構を備えているものが多くあるので、かかる場合は上記のリーダー（７）ではなく自己の携帯電話を使用すればよいこと勿論である。
【００４５】
而して顧客様は、上記サービスエリアやショピングモールの地図（９）と案内から、あるいは案内嬢の説明で、このサービスエリアの、サービスポイント（Ａ）〜（Ｎ）が有ることを知り立ち寄りたいと考える。
【００４６】
特にこの場合これらサービスポイント（Ａ）〜（Ｎ）中、顧客様に最も立ち寄って欲しいと考える場所，商品には派手なマークを付けるなどして、顧客の注意力を注ぐようにし、しかもこの場所，商品には特別なボーナスポイントがあり、この場所，商品は他の商品が「１点」であるのに、「５点」を付けるなど顧客の購入意欲を高揚させることができるのである。
【００４７】
そしてこのサービスポイント（Ａ）〜（Ｎ）や商品には、上記所定のポイントが記憶させてあり、顧客様はカード本体（２）を接触あるいは翳させることで、これを加算してポイントを集め、例えばインフォメーション（１３）で、獲得したポイントの大小でお土産のような特定の報奨、あるいはくじ引の機会与えられるようになっているのである。
【００４８】
以上詳述したように本発明は、顧客様が当該サービスエリアやショピングモール内での買物や食事および各種イベントに、多く立ち寄るよう誘発するように仕向けられるようにできたのである。
【００４９】
この時、上記立ち寄り先にはサービスポイント（Ａ）〜（Ｎ）を設け、特に立ち寄らせたいポイントは、その加算点数をシステム提供者の意志に基づいて任意に変えられるように、例えば取り立ての野菜を販売する「朝市」のコーナーに、特に顧客を呼込たいときは、同コーナーのサービスポイントを多くして、そのことを広くアピールすることによって、集客力が発揮できるのである。
【００５０】
また、カード本体（２）の記録媒体（１）にも上記の情報だけでなく、近くの旅館やホテルの紹介や，予約や，各種チケットの購入や，車輌または運転者，同乗車の保険に加入できるフォームなどの手段や，さらには各種のイベントや天気予報や交通渋滞や占いの情報もスポンサの協力等で適宜入力しておくことが好ましいし、上記インフォメーション（１３）等で集められた顧客様の情報は、当該サービスエリアやショピングモールからの顧客様宛のダイレクトメールを出す場合の、貴重な情報となるのである。
【符号の説明】
【００５１】
Ａ      サービスポイント
Ｂ      サービスポイント
Ｃ      サービスポイント
Ｄ      サービスポイント
Ｅ      サービスポイント
Ｎ      サービスポイント
１      情報の記録媒体
２      カード本体
３      サービスエリアの名称
４      名所の風景
５      広告
６      日時
７      リーダ
８      パーソナルコンピュタ
９      地図
１０    発行の連続番号
１１    レストラン
１２    イベントコーナー
１３    インフォメーション
１４    サーバー
１５    展示棚
１６    メニュー
１７    ２点
１８    ５点
１９    出店店舗
２０    便所
２１    とくとく情報エリア
２２    わくわくレストランエリア
２３    とくとく施設エリア
２４    わくわくお土産エリア
２５    わくわくイベントエリア
２６    とくとくガソリンエリア
【図面の簡単な説明】
【００５２】
【図１】本発明の１実施例である高速道路の、サービスエリアを示す平面説明図
【図２】カード本体の正面図と裏面図
【図３】２次元バーコードの例の説明図
【図４】レストランの陳列棚およびメニューの説明図
【図５】屋外店舗の正面説明図
【図６】記録媒体の読み取り記憶システムのブロック図
【図１】
2006053806.tif 000003
【図２】
2006053806.tif 000004
【図３】
2006053806.tif 000005
【図４】
2006053806.tif 000006
【図５】
2006053806.tif 000007
【図６】
2006053806.tif 000008